(57)【要約】【課題】簡易な構造で換気装置を容易に取付けることのできるドアを提供する。【解決手段】上下フレーム材２１、２２と縦フレーム材２３とを方形状に枠組みしてフレーム体２０を構成し、フレーム体２０の室内外面にそれぞれ表面板２４、２５を取付けてなり、下部には通気路８が形成され、フレーム体２０の下部には、下フレーム材２２を一辺とした枠状の取付枠部３０が設けられ、下フレーム材２２には下部開口部２８が形成されて取付枠部３０内と外部とが連通され、取付枠部３０には室内面開口部４１を有する換気装置７が室内面側から固着され、下部開口部２８と室内面開口部４１とが取付枠部３０内の空間を介して連通され、通気路８を構成する。【選択図】図３
2011047151.tif 000002
【特許請求の範囲】
【請求項１】
上下フレーム材と縦フレーム材とを方形状に枠組みしてフレーム体を構成し、該フレーム体の室内外面にそれぞれ表面板を取付けてなり、下部には通気路が形成されたドアにおいて、
前記フレーム体の下部には、前記下フレーム材を一辺とした枠状の取付枠部が設けられ、前記下フレーム材には下部開口部が形成されて前記取付枠部内と外部とが連通され、
前記取付枠部には室内面開口部を有する換気装置が室内面側から固着され、前記下部開口部と室内面開口部とが前記取付枠部内の空間を介して連通され、前記通気路を構成することを特徴とするドア。
【請求項２】
前記取付枠部は横材と左右の縦材とがコ字状に枠組みされると共に、前記縦材が前記下フレーム材に固着されることにより構成されることを特徴とする請求項１記載のドア。
【請求項３】
前記縦材には前記取付枠部の内周方向に伸びるフィン部が形成され、前記換気装置は左右周縁部が前記フィン部に当接し固着されることを特徴とする請求項２記載のドア。
【請求項４】
前記横材は対向する下フレーム材側に向かって伸びる板状の背板部を有し、該背板部は室外側の前記表面板に当接することを特徴とする請求項２または３記載のドア。
【請求項５】
前記フレーム体と室内外面の表面板により形成される中空部のうち、前記取付枠部が配置される領域以外には断熱材が設けられることを特徴とする請求項１〜４のいずれか１項に記載のドア。
【請求項６】
前記下部開口部は前記下フレーム材の下面と上面に形成されて、前記取付枠部内の空間と外部とを上下方向に連通させることを特徴とする請求項１〜５のいずれか１項に記載のドア。
【発明の詳細な説明】
【技術分野】
【０００１】
本発明は、住宅の玄関などに設置され枠状のフレーム体に対し内外に表面板を設けてなるドアに関し、特に室内外を連通させる通気路を有してなるドアに関する。
【背景技術】
【０００２】
従来、集合住宅などにおいて玄関に設置されるドアは、金属製のものが多く用いられている。この金属製のドアの構造の一つとして、アルミ材からなる枠状のフレーム体に対し、室内外面にそれぞれ表面板を貼り付けるなどして一体化したものが知られている。また、ドアの主に下部に、室内外を連通させる通気路を設け、換気を行うことができるように構成したものも知られている。このような換気機能を有したドアとしては、例えば特許文献１に挙げるようなものがある。
【先行技術文献】
【特許文献】
【０００３】
【特許文献１】特開平１１−２１７９７７号公報
【発明の概要】
【発明が解決しようとする課題】
【０００４】
換気機能付きのドアにおいては、室内側の表面板に露出する換気装置が設けられる。換気装置は、スリット状の開口を複数有すると共に、これら開口を開閉できるスライド板を備えてなるものである。従来の換気機能付きのドアは、換気装置をドア内に納めるための構造がやや複雑となっており、部品点数が多く、取付作業が煩雑であったり、また取付位置を変更するのが困難なものであった。
【０００５】
本発明は前記課題を鑑みてなされたものであり、簡易な構造で換気装置を容易に取付けることのできるドアを提供することを目的とする。
【課題を解決するための手段】
【０００６】
前記課題を解決するため、本発明に係るドアは、上下フレーム材と縦フレーム材とを方形状に枠組みしてフレーム体を構成し、該フレーム体の室内外面にそれぞれ表面板を取付けてなり、下部には通気路が形成されたドアにおいて、
前記フレーム体の下部には、前記下フレーム材を一辺とした枠状の取付枠部が設けられ、前記下フレーム材には下部開口部が形成されて前記取付枠部内と外部とが連通され、
前記取付枠部には室内面開口部を有する換気装置が室内面側から固着され、前記下部開口部と室内面開口部とが前記取付枠部内の空間を介して連通され、前記通気路を構成することを特徴として構成されている。
【０００７】
また、本発明に係るドアは、前記取付枠部は横材と左右の縦材とがコ字状に枠組みされると共に、前記縦材が前記下フレーム材に固着されることにより構成されることを特徴として構成されている。
【０００８】
さらに、本発明に係るドアは、前記縦材には前記取付枠部の内周方向に伸びるフィン部が形成され、前記換気装置は左右周縁部が前記フィン部に当接し固着されることを特徴として構成されている。
【０００９】
さらにまた、本発明に係るドアは、前記横材は対向する下フレーム材側に向かって伸びる板状の背板部を有し、該背板部は室外側の前記表面板に当接することを特徴として構成されている。
【００１０】
そして、本発明に係るドアは、前記フレーム体と室内外面の表面板により形成される中空部のうち、前記取付枠部が配置される領域以外には断熱材が設けられることを特徴として構成されている。
【００１１】
また、本発明に係るドアは、前記下部開口部は前記下フレーム材の下面と上面に形成されて、前記取付枠部内の空間と外部とを上下方向に連通させることを特徴として構成されている。
【発明の効果】
【００１２】
本発明に係るドアによれば、フレーム体の下部には、下フレーム材を一辺とした枠状の取付枠部が設けられ、下フレーム材には下部開口部が形成されて取付枠部内と外部とが連通され、取付枠部には室内面開口部を有する換気装置が室内面側から固着され、下部開口部と室内面開口部とが取付枠部内の空間を介して連通され、通気路を構成することにより、フレーム体に枠状の取付枠部を設けるだけで、換気装置を室内側から取付けることができ、換気装置の取付を容易にすることができると共に、簡易な構造でドア本体に通風路を形成することができる。また、フレーム体に枠状の取付枠部が設けられるので、全体の強度も向上させることができる。
【００１３】
また、本発明に係るドアによれば、取付枠部は横材と左右の縦材とがコ字状に枠組みされると共に、縦材が下フレーム材に固着されることにより構成されることで、取付枠部の構造が単純で、取付が容易であると共に、横材と縦材の寸法や位置を変えるだけで、容易に異なる大きさの換気装置に対応し、また取付位置も変更することができる。
【００１４】
さらに、本発明に係るドアによれば、縦材には取付枠部の内周方向に伸びるフィン部が形成され、換気装置は左右周縁部がフィン部に当接し固着されることにより、換気装置をフィン部に当接させて容易に固定することができる。
【００１５】
さらにまた、本発明に係るドアによれば、横材は対向する下フレーム材側に向かって伸びる板状の背板部を有し、背板部は室外側の表面板に当接することにより、ドア全体の剛性を増して強度を向上させることができる。
【００１６】
そして、本発明に係るドアによれば、フレーム体と室内外面の表面板により形成される中空部のうち、取付枠部が配置される領域以外には断熱材が設けられることにより、ドアの断熱性を高くすることができる。
【００１７】
また、本発明に係るドアによれば、下部開口部は下フレームの下面と上面に形成されて、取付枠部内の空間と外部とを上下方向に連通させることにより、室外側から開口部が見えないようにして、意匠性を良好にすることができる。
【図面の簡単な説明】
【００１８】
【図１】本実施形態におけるドア本体の正面図である。
【図２】本実施形態におけるドア本体の背面図である。
【図３】ドア開口部を含むドアの縦断面図である。
【図４】ドア開口部を含むドアの横断面図である。
【図５】室内表面板を省略したドア本体の下端部付近背面図である。
【図６】図３の下端部付近拡大図である。
【図７】図４の左端部付近拡大図である。
【発明を実施するための形態】
【００１９】
本発明の実施形態について、図面に沿って詳細に説明する。図１には本実施形態におけるドア本体の正面図を、図２には本実施形態におけるドア本体の背面図を、それぞれ示している。図１はドア本体１の室外側に面する側が表されており、図２はドア本体１の室内側に面する側が表されている。図１に示すように、本実施形態のドアを構成するドア本体１は、室外側から見て右側の縦辺が吊元側辺１ａであって蝶番５が設けられており、室外側から見て左側の縦辺が戸先側辺１ｂとなっている。そして、室外側面は室外表面板２４によって略面状とされている。また、図２に示すように、室内側面は室内表面板２５によって略面状とされ、また下部には換気装置７が設けられている。
【００２０】
ドア本体１の室内外面には、戸先側の上下中間位置に、ドアハンドル２が設けられている。また、ドアハンドル２の上下には、それぞれ錠装置３が設けられている。図２に示すように、ドア本体１の室内側面において、ドアハンドル２の上方位置には、補助錠４が配置されている。
【００２１】
図３にはドア開口部を含むドアの縦断面図を、図４にはドア開口部を含むドアの横断面図を、それぞれ示している。これら各図に示すように、ドア開口部には上枠１１と下枠１２及び左右の縦枠１３、１３を方形状に枠組みしてなる枠体１０が取付けられており、ドア本体１はこの枠体１０内に納められる。
【００２２】
枠体１０を構成する上枠１１と下枠１２及び縦枠１３は、それぞれ建物開口部の室外辺に当接し、ビス止め固定される。また、枠体１０を構成する縦枠１３は、位置出しブロック１５を介して建物開口部の内周面に当接する。位置出しブロック１５は、ピース状の部材であって、縦枠１３の長手方向に沿って複数個が設けられる。枠体１０は、内周面でドア本体１と対向すると共に、室内側が内周側に突出する突出部１４を有しており、突出部１４の室外面がドア本体１の室内面周縁部と対向すると共に、突出部１４に設けられる気密材１４ａが、ドア本体１の室内面に四周に渡り当接する。
【００２３】
ドア本体１の吊元側上部には、ドアクローザー６の一端側が固定されている。ドアクローザー６の他端側は、上枠１１に固定されている。ドアクローザー６は、ドア本体１の開閉に対し抵抗力を発生させて、ドア本体１がゆっくりと閉じるようにするために設けられている。
【００２４】
ドア本体１は、いずれもアルミの型材からなる上フレーム材２１と下フレーム材２２及び左右の縦フレーム材２３、２３を方形状に枠組みしてフレーム体２０を構成し、このフレーム体２０の室外側面に室外表面板２４を貼付けると共に、フレーム体２０の室内側面に室内表面板２５を貼付けて形成されている。また、室外表面板２４と室内表面板２５に覆われない縦フレーム材２３の側面を覆うように、側面構成部材２６が吊元側と戸先側にそれぞれ設けられる。戸先側の側面構成部材２６は、略Ｌ字状に突出して縦フレーム材２３の室外面と対向する戸先部２７を有している。
【００２５】
ドア本体１において、フレーム体２０と室外表面板２４及び室内表面板２５に囲まれた領域は、中空状となっており、この領域には後述する取付枠部３０が設けられる部分以外には断熱材（図示しない）が設けられる。断熱材は、板材からなる発泡スチロールやハニカム構造を有する部材であってもよいし、またドア本体１を組み立てた後で内部に充填することで発泡固化する材料であってもよい。
【００２６】
図４に示すように、下フレーム材２２には、複数の細長い孔からなる下部開口部２８が形成されている。下部開口部２８は、図３に示すように断面中空状に形成されてなる下フレーム材２２の上下面にそれぞれ貫通孔となるように形成されており、ドア本体１の下端面とドア本体１の取付枠部３０が設けられる中空内部とを連通状とする。
【００２７】
次に、ドア本体１における換気機能のための構成について説明する。図５には室内表面板２５を省略したドア本体１の下端部付近背面図を、図６には図３の下端部付近拡大図を、図７には図４の左端部付近拡大図を、それぞれ示している。これらの図に示すように、フレーム体２０の下部には、換気装置７を固定し外部と連通させる領域を構成する方形状の取付枠部３０が設けられる。
【００２８】
図５に示すように取付枠部３０は、下フレーム材２２を下辺とし、上辺を構成する横材３１と縦辺を構成する左右の縦材３２、３２とをコ字状に連結して下フレーム材２２に固着し、枠状をなすように構成される。また、一方の縦材３２は、ドア本体１の外周側に面する側面が、縦フレーム２３に当接するようにされている。これにより、ドア本体１全体の強度を向上させることができる。
【００２９】
図６に示すように、取付枠部３０の上辺を構成する横材３１は、上方に開口する断面略コ字状に形成される本体部３１ａと、本体部３１ａの室外面と連続状となるように取付枠部３０の内周側、すなわち下方に向かって伸びる背板部３１ｂとからなっている。背板部３１ｂは、ドア本体１を構成する室外表面板２４の裏面側に対して当接し、下端部は下フレーム材２２の上面位置まで伸びている。また、室外表面板２４の裏面に対して接着材により接着固定されている。これによって、取付枠部３０を設けたドア本体１の強度を、向上させることができる。
【００３０】
図７に示すように、取付枠部３０の左右縦辺を構成する縦材３２は、内周側に開口する断面略コ字状に形成される本体部３２ａと、本体部３２ａの内周面に形成されるビス孔部３２ｂと、本体部３２ａの室内側面内周端部から室外側に向かって段落ちした上で内周側に向かって伸びるフィン部３２ｃとを有して構成されている。換気装置７は、縦辺において縦材３２のフィン部３２ｃに対し当接し、ネジ止めされることによって取付枠部３０に対し固定される。
【００３１】
ビス孔部３２ｂは縦材３２の長手方向に沿って形成されており、下フレーム材２２の上面に縦材３２の下端面を当接させた状態で、下フレーム材２２側からビス孔部３２ｂにビスを螺合させることにより、縦材３２と下フレーム材２２とが連結される。また、縦材３２の上端面は、横材３１を構成する本体部３１ａの下面に当接し、横材３１側から縦材３２のビス孔部３２ｂにビスが螺合されることで、横材３１と縦材３２が連結される。
【００３２】
縦枠１３の外側面に設けられる位置出しブロック１５は、建物開口部の内周面に当接する当接部１５ａを備え、縦枠１３側の面には凹部１５ｂが形成されている。凹部１５ｂには、両面に接着材を備える止水材１５ｃが設けられて、位置出しブロック１５を縦枠１３に固定している。縦枠１３の内周面からは、位置出しブロック１５を介して建物開口部の内周面に対してビス止めがなされており、位置出しブロック１５は縦枠１３を建物開口部に対して固定する際の補強材としても機能している。
【００３３】
図６に示すように、換気装置７は、ドア本体１の室内側面に露出する室内面部４０と、室内面部４０の室外側面において左右にスライド自在に保持されたスライド板４２とを有して構成されている。室内面部４０は、図２に示すように複数のスリットからなる室内面開口部４１を有している。また、スライド板４２にも同様にスリットが形成されており、スライド板４２が所定の位置にあるとき、スリット同士が重なり合って、室内側とドア本体１の中空内部とを連通させる。一方、スライド板４２をスライドさせることで、スリット同士が互い違いとなり、室内側に対しドア本体１の中空内部が塞がれた状態とすることもできる。
【００３４】
換気装置７の室内面部４０は、周縁部が室内表面板２５の室内側面に対し当接し、中央領域は周縁部よりも室外側に段落ち状となるように形成されている。前述のように、段落ち状となった中央領域は、取付枠部３０を構成する縦材３２のフィン部３２ｃに当接し、ネジ止め固定される。また、取付枠部３０を構成する横材３１は、断面略コ字状に形成された本体部３１ａの室内側面が、室内表面板２５の室外側面に対し当接し、換気装置７の室内面部４０とで室内表面板２５を挟み込むようにしている。なお、横材３１の本体部３１ａは、室内表面板２５に対して接着材により固定される。
【００３５】
取付枠部３０を構成する下フレーム材２２には、前述のように上下面を貫通する下部開口部２８が形成されており、下部開口部２８と連通する取付枠部３０は内部が中空状であり、さらに取付枠部３０の内部は換気装置７の室内面開口部４１と連通状となっていて、全体としてドア本体１の室外側と室内側とが連通される通気路８を構成している。
【００３６】
このように、本実施形態ではフレーム体２０を構成する下フレーム材２２を一辺とする取付枠部３０をドア本体１の下部に設け、取付枠部３０の中空内部と連通するように下フレーム材２２に下部開口部２８を設けると共に、取付枠部３０の室内側から室内面開口部４１を有する換気装置７を取付けている。これによって、フレーム体２０に枠状の取付枠部３０を設けるだけで、換気装置７を室内側から取付けることができ、換気装置７の取付を容易にすることができると共に、簡易な構造でドア本体１に通風路８を形成することができる。また、ドア本体の中空内部には、取付枠部３０が設けられる部分以外に断熱材が設けられるため、取付枠部３０のがたつきをなくし、強度の向上を図ることができる。
【００３７】
取付枠部３０は、横材３１と縦材３２の枠組みにより構成されているので、横材３１と縦材３２の寸法を変更することで、異なる大きさの換気装置７にも容易に対応させることができる。また、取付枠部３０の下フレーム材２２に対する取付位置を、下フレーム材２２の長手方向に沿って変更することにより、換気装置７の左右取付位置も、容易に変更することができる。
【００３８】
さらには、本実施形態では、取付枠部３０は下フレーム材２２を一辺として形成しているが、フレーム体２０の他辺を一辺として構成するようにしてもよく、これによれば、換気装置７をドア本体１の下部のみならず、上部に設けることもできる。この場合、フレーム体２０に設ける開口部は、取付枠部３０を構成するフレーム材に形成される。
【００３９】
また、本実施形態では、下フレーム材２２の上下面を貫通状となるように下部開口部２８を形成しているが、下部開口部２８は下フレーム材２２の室外面と上面に形成して、外部とドア本体１内とを連通状としてもよい。ただし、本実施形態のように下部開口部２８を下フレーム材２２の下面に形成することで、開口を室外側から見えないようにすることができ、ドア本体１の意匠性を向上させることができる。
【００４０】
以上、本発明の実施形態について説明したが、本発明の適用は本実施形態には限られず、その技術的思想の範囲内において様々に適用されうるものである。
【符号の説明】
【００４１】
１    ドア本体
７    換気装置
８    通気路
１０    枠体
２０    フレーム体
２１    上フレーム材
２２    下フレーム材
２３    縦フレーム材
２４    室外表面板
２５    室内表面板
２８    下部開口部
３０    取付枠部
３１    横材
３１ａ  本体部
３１ｂ  背板部
３２    縦材
３２ａ  本体部
３２ｂ  ビス孔部
３２ｃ  フィン部
４０    室内面部
４１    室内面開口部
４２    スライド板
【図１】
2011047151.tif 000003
【図２】
2011047151.tif 000004
【図３】
2011047151.tif 000005
【図４】
2011047151.tif 000006
【図５】
2011047151.tif 000007
【図６】
2011047151.tif 000008
【図７】
2011047151.tif 000009